(57)【要約】【課題】ラベル印刷時における作業効率およびラベルの視認性の向上を図ること。【解決手段】印刷装置１００は、印刷可能領域情報取得部２０１と、画像取得部２０２と、算出部２０３と、印刷領域形成部２０４と、調整部２０５と、印刷部２０６と、表示部２０７とを備える。印刷領域情報取得部２０１は、印刷可能領域に関する情報を取得する。画像取得部２０２は、画像を取得する。算出部２０３は、角度を算出する。印刷領域形成部２０４は、扇形の印刷領域を形成する。調整部２０５は、画像を調整する。印刷部２０６は、画像を印刷する。表示部２０７は、イメージ画像を表示する。【選択図】図２
2007276201.tif 000002
【特許請求の範囲】
【請求項１】
印刷媒体上に所望する画像を印刷する印刷装置であって、
前記画像を取得する画像取得手段と、
前記印刷媒体上の二つの同心円に挟まれた印刷可能領域に関する情報を取得する印刷可
能領域情報取得手段と、
前記印刷可能領域に関する情報に基づいて、前記画像が前記印刷可能領域内に収まるよ
うに、前記画像を調整する調整手段と、
前記調整手段によって調整された画像のサイズと、前記印刷可能領域に関する情報とに
基づいて、前記二つの同心円の中心から半径方向に延びる二つの直線がなすべき角度を算
出する算出手段と、
前記印刷可能領域に前記二つの同心円と前記二つの直線とに囲まれた印刷領域を設定す
る印刷領域設定手段と、
前記調整手段によって調整された前記画像を、前記印刷領域に印刷する印刷手段と、
を備えたことを特徴とする印刷装置。
【請求項２】
前記調整手段は、前記画像の縦横比を変化させずに印刷サイズと印刷位置を調整するこ
とを特徴とする請求項１に記載の印刷装置。
【請求項３】
前記調整手段は、前記印刷領域に対して前記画像の一辺が前記印刷可能領域の内側の円
に接し、対辺が外側の円に２点で接するように調整することを特徴とする請求項１または
２に記載の印刷装置。
【請求項４】
前記記録媒体は、ＣＤ（Ｃｏｍｐａｃｔ  Ｄｉｓｃ）またはＤＶＤ（Ｄｉｇｉｔａｌ  
Ｖｅｒｓａｔｉｌｅ  Ｄｉｓｃ）であることを特徴とする請求項１〜３のいずれか一つに
記載の印刷装置。
【請求項５】
前記印刷手段は、前記画像の下部が、前記記録媒体の中心の方向を向くように前記画像
を印刷することを特徴とする請求項４に記載の印刷装置。
【請求項６】
前記印刷領域設定手段は、前記印刷領域を互いに重ならないように複数設定することを
特徴とする請求項１〜５のいずれか一つに記載の印刷装置。
【請求項７】
前記画像が前記印刷領域に印刷されるときのイメージ画像を表示する表示手段をさらに
備えたことを特徴とする請求項１〜６のいずれか一つに記載の印刷装置。
【請求項８】
前記表示手段は、前記印刷領域設定手段によって前記印刷領域が設定されるときに、前
記印刷領域を設定することができるか否かに関する情報を表示することを特徴とする請求
項７に記載の印刷装置。
【請求項９】
印刷媒体上に所望する画像を印刷させるべく出力する映像再生装置であって、
前記画像を取得する画像取得手段と、
前記印刷媒体上の二つの同心円に挟まれた印刷可能領域に関する情報を取得する印刷可
能領域情報取得手段と、
前記印刷可能領域に関する情報に基づいて、前記画像が前記印刷可能領域内に収まるよ
うに、前記画像を調整する調整手段と、
前記調整手段によって調整された画像のサイズと、前記印刷可能領域に関する情報とに
基づいて、前記二つの同心円の中心から半径方向に延びる二つの直線がなすべき角度を算
出する算出手段と、
前記印刷可能領域に前記二つの同心円と前記二つの直線とに囲まれた印刷領域を設定す
る印刷領域設定手段と、
前記調整手段によって調整された前記画像を、前記印刷領域に印刷させるべく出力する
印刷手段と、
を備えたことを特徴とする映像再生装置。
【請求項１０】
印刷媒体上に所望する画像を印刷する印刷制御方法であって、
前記画像を取得する画像取得工程と、
前記印刷媒体上の二つの同心円に挟まれた印刷可能領域に関する情報を取得する印刷可
能領域情報取得工程と、
前記印刷可能領域に関する情報に基づいて、前記画像が前記印刷可能領域内に収まるよ
うに、前記画像を調整する調整工程と、
前記調整工程によって調整された画像のサイズと、前記印刷可能領域に関する情報とに
基づいて、前記二つの同心円の中心から半径方向に延びる二つの直線がなすべき角度を算
出する算出工程と、
前記印刷可能領域に前記二つの同心円と前記二つの直線とに囲まれた印刷領域を設定す
る印刷領域設定工程と、
前記調整工程によって調整された前記画像を、前記印刷領域に印刷させる印刷工程と、
を含んだことを特徴とする印刷制御方法。
【請求項１１】
請求項１０に記載の印刷制御方法をコンピュータに実行させることを特徴とする印刷制
御プログラム。
【請求項１２】
請求項１１に記載の印刷制御プログラムを記録したことを特徴とするコンピュータに読
み取り可能な記録媒体。
【発明の詳細な説明】
【技術分野】
【０００１】
本発明は、画像を記録媒体の表面上に印刷する印刷装置、映像再生装置、印刷制御方法
、印刷制御プログラム、および記録媒体に関する。
【背景技術】
【０００２】
従来より、たとえば、デジタル映像から取り込んだ画像やデジタルカメラなどで撮影し
た画像などを、ＣＤ（Ｃｏｍｐａｃｔ  Ｄｉｓｃ）およびＤＶＤ（Ｄｉｇｉｔａｌ  Ｖｅ
ｒｓａｔｉｌｅ  Ｄｉｓｃ）などの記録媒体（以下、「メディア」と示す）の表面上に印
刷することができる印刷装置が知られている。また、このような印刷装置の中には、たと
えば円盤を４分割など所定等分した領域や、テンプレートで指定された領域などに対して
、画像を印刷することができるものがある（たとえば、下記特許文献１参照。）。
【０００３】
【特許文献１】特開２００３−０８０７６６号公報
【発明の開示】
【発明が解決しようとする課題】
【０００４】
しかしながら、上記の従来技術にあっては、画像によってはレイアウト比などの特徴が
異なることがあるものの、画像によらないような印刷をしていたので、画像の特徴に応じ
た印刷をおこなうことができないといった問題が生じていた。
【０００５】
本発明は、上述した従来技術による問題点を解消するため、簡単な操作により、画像の
サイズに応じた適切な印刷レイアウトによる画像の印刷処理をおこなうことによって、ラ
ベル印刷時における作業効率およびラベルの視認性の向上を図ることができる印刷装置、
映像再生装置、印刷制御方法、印刷制御プログラム、および記録媒体を提供することを目
的とする。
【課題を解決するための手段】
【０００６】
上述した課題を解決し、目的を達成するため、この発明にかかる印刷装置は、印刷媒体
上に所望する画像を印刷する印刷装置であって、前記画像を取得する画像取得手段と、前
記印刷媒体上の二つの同心円に挟まれた印刷可能領域に関する情報を取得する印刷可能領
域情報取得手段と、前記印刷可能領域に関する情報に基づいて、前記画像が前記印刷可能
領域内に収まるように、前記画像を調整する調整手段と、前記調整手段によって調整され
た画像のサイズと、前記印刷可能領域に関する情報とに基づいて、前記二つの同心円の中
心から半径方向に延びる二つの直線がなすべき角度を算出する算出手段と、前記印刷可能
領域に前記二つの同心円と前記二つの直線とに囲まれた印刷領域を設定する印刷領域設定
手段と、前記調整手段によって調整された前記画像を、前記印刷領域に印刷する印刷手段
と、を備えたことを特徴とする。
【０００７】
この発明によれば、簡単な操作により、印刷可能領域内に画像が収まるように画像を調
整したうえで、画像に応じた印刷領域を設定し、画像を印刷することによって、画像のサ
イズに応じた適切な印刷レイアウトによる画像の印刷処理をおこなうことができる。
【０００８】
また、この発明にかかる印刷装置は、上記に記載の発明において、前記調整手段は、前
記画像の縦横比を変化させずに印刷サイズと印刷位置を調整することを特徴とする。
【０００９】
この発明によれば、簡単な操作により、画像の縦横比を変化させず、印刷可能領域内に
画像が収まるように画像を調整したうえで、画像に応じた印刷領域を設定し、画像を印刷
することによって、画像のサイズに応じた適切な印刷レイアウトによる画像の印刷処理を
おこなうことができる。
【００１０】
また、この発明にかかる印刷装置は、上記に記載の発明において、前記調整手段は、前
記印刷領域に対して前記画像の一辺が前記印刷可能領域の内側の円に接し、対辺が外側の
円に２点で接するように調整することを特徴とする。
【００１１】
この発明によれば、簡単な操作により、画像の一辺が印刷可能領域の内側の円に接し、
対辺が外側の円に２点で接するように画像を調整したうえで、画像に応じた印刷領域を設
定し、画像を印刷することによって、画像のサイズに応じた適切な印刷レイアウトによる
画像の印刷処理をおこなうことができる。
【００１２】
また、この発明にかかる印刷装置は、上記に記載の発明において、前記記録媒体は、Ｃ
Ｄ（Ｃｏｍｐａｃｔ  Ｄｉｓｃ）またはＤＶＤ（Ｄｉｇｉｔａｌ  Ｖｅｒｓａｔｉｌｅ  
Ｄｉｓｃ）であることを特徴とする。
【００１３】
この発明によれば、簡単な操作により、ＣＤまたはＤＶＤの表面上の印刷可能領域内に
画像が収まるように画像を調整したうえで、画像に応じた印刷領域を設定し、画像を印刷
することによって、画像のサイズに応じた適切な印刷レイアウトによるＣＤまたはＤＶＤ
の表面上への画像の印刷処理をおこなうことができる。
【００１４】
また、この発明にかかる印刷装置は、上記に記載の発明において、前記印刷手段は、前
記画像の下部が、前記記録媒体の中心の方向を向くように前記画像を印刷することを特徴
とする。
【００１５】
この発明によれば、簡単な操作により、ＣＤまたはＤＶＤの表面上の印刷可能領域内に
画像が収まるように画像を調整したうえで、画像に応じた印刷領域を設定し、画像の下部
がＣＤまたはＤＶＤの中心の方向を向くように画像を印刷することによって、画像のサイ
ズに応じた適切な印刷レイアウトによるＣＤまたはＤＶＤの表面上への画像の印刷処理を
おこなうことができる。
【００１６】
また、この発明にかかる印刷装置は、上記に記載の発明において、前記印刷領域設定手
段は、前記印刷領域を互いに重ならないように複数設定することを特徴とする。
【００１７】
この発明によれば、簡単な操作により、画像ごとに印刷可能領域内に画像が収まるよう
に画像を調整したうえで、それぞれの画像に応じた印刷領域を設定し、画像を互いに重な
らないように印刷することによって、画像のサイズに応じた適切な印刷レイアウトによる
複数の画像の印刷処理をおこなうことができる。
【００１８】
また、この発明にかかる印刷装置は、上記に記載の発明において、前記画像が前記印刷
領域に印刷されるときのイメージ画像を表示する表示手段をさらに備えたことを特徴とす
る。
【００１９】
この発明によれば、簡単な操作により、印刷可能領域内に画像が収まるように画像を調
整したうえで、画像に応じた印刷領域を設定し、この印刷領域に画像が印刷されるときの
イメージ画像を表示することによってこのイメージ画像をユーザに確認させたうえで、画
像に応じた適切な印刷レイアウトによる画像の印刷処理をおこなうことができる。
【００２０】
また、この発明にかかる印刷装置は、上記に記載の発明において、前記表示手段は、前
記印刷領域設定手段によって前記印刷領域が設定されるときに、前記印刷領域を設定する
ことができるか否かに関する情報を表示することを特徴とする。
【００２１】
この発明によれば、簡単な操作により、画像のサイズに応じた扇形の印刷領域を設定す
るときに、この印刷領域を設定することができるか否かに関する情報を表示し、画像を印
刷することができるか否かをユーザに把握させることができる。
【００２２】
また、この発明にかかる映像再生装置は、印刷媒体上に所望する画像を印刷させるべく
出力する映像再生装置であって、前記画像を取得する画像取得手段と、前記印刷媒体上の
二つの同心円に挟まれた印刷可能領域に関する情報を取得する印刷可能領域情報取得手段
と、前記印刷可能領域に関する情報に基づいて、前記画像が前記印刷可能領域内に収まる
ように、前記画像を調整する調整手段と、前記調整手段によって調整された画像のサイズ
と、前記印刷可能領域に関する情報とに基づいて、前記二つの同心円の中心から半径方向
に延びる二つの直線がなすべき角度を算出する算出手段と、前記印刷可能領域に前記二つ
の同心円と前記二つの直線とに囲まれた印刷領域を設定する印刷領域設定手段と、前記調
整手段によって調整された前記画像を、前記印刷領域に印刷させるべく出力する印刷手段
と、を備えたことを特徴とする。
【００２３】
この発明によれば、簡単な操作により、印刷可能領域内に画像が収まるように画像を調
整したうえで、画像に応じた印刷領域を設定し、画像を印刷させるべく出力することによ
って、画像のサイズに応じた適切な印刷レイアウトによる画像の印刷処理をおこなわせる
ことができる。
【００２４】
また、この発明にかかる印刷制御方法は、印刷媒体上に所望する画像を印刷する印刷制
御方法であって、前記画像を取得する画像取得工程と、前記印刷媒体上の二つの同心円に
挟まれた印刷可能領域に関する情報を取得する印刷可能領域情報取得工程と、前記印刷可
能領域に関する情報に基づいて、前記画像が前記印刷可能領域内に収まるように、前記画
像を調整する調整工程と、前記調整工程によって調整された画像のサイズと、前記印刷可
能領域に関する情報とに基づいて、前記二つの同心円の中心から半径方向に延びる二つの
直線がなすべき角度を算出する算出工程と、前記印刷可能領域に前記二つの同心円と前記
二つの直線とに囲まれた印刷領域を設定する印刷領域設定工程と、前記調整工程によって
調整された前記画像を、前記印刷領域に印刷させる印刷工程と、を含んだことを特徴とす
る。
【００２５】
この発明によれば、簡単な操作により、印刷可能領域内に画像が収まるように画像を調
整したうえで、画像に応じた印刷領域を設定し、画像を印刷することによって、画像のサ
イズに応じた適切な印刷レイアウトによる画像の印刷処理をおこなうことができる。
【００２６】
また、この発明にかかる印刷制御プログラムは、上記に記載の印刷制御方法をコンピュ
ータに実行させることを特徴とする。
【００２７】
この発明によれば、印刷制御プログラムを実行することにより、上述した印刷制御方法
によって得られる動作がコンピュータによって実現される。これにより、上述した印刷制
御方法の実現によって得られる各種効果を奏することができる。
【００２８】
また、この発明にかかる記録媒体は、上記に記載の印刷制御プログラムをコンピュータ
に読み取り可能に記録したことを特徴とする。
【００２９】
この発明によれば、記録された印刷制御プログラムをコンピュータに読み取らせ、実行
させることによって、上述した印刷制御プログラムの実行によって得られる動作がコンピ
ュータによって実現される。これにより、上述した印刷制御プログラムの実行によって得
られる各種効果を奏することができる。
【発明を実施するための最良の形態】
【００３０】
以下に添付図面を参照して、この発明にかかる印刷装置、映像再生装置、印刷制御方法
、印刷制御プログラム、および記録媒体の好適な実施の形態を詳細に説明する。
【００３１】
（印刷装置１００のハードウェア構成）
図１は、本実施の形態における印刷装置のハードウェア構成の一例を示すブロック図で
ある。図１において、本実施の形態における印刷装置１００は、ＣＰＵ（Ｃｅｎｔｒａｌ
Ｐｒｏｃｅｓｓｉｎｇ  Ｕｎｉｔ）１０１と、ＲＯＭ（Ｒｅａｄ  Ｏｎｌｙ  Ｍｅｍｏ
ｒｙ）１０２と、ＲＡＭ（Ｒａｎｄｏｍ  Ａｃｃｅｓｓ  Ｍｅｍｏｒｙ）１０３と、ＨＤ
Ｄ（Ｈａｒｄ  Ｄｉｓｃ  Ｄｒｉｖｅ）１０４と、ＨＤ（Ｈａｒｄ  Ｄｉｓｃ）１０５と
、スキャナ１０６と、インタフェース（Ｉ／Ｆ）１０７と、通信ケーブル１０８と、ラベ
ルプリンタ１０９と、ＣＤ／ＤＶＤディスク１１０と、ディスクドライブ１１１と、操作
ボタン１１２と、ディスプレイ１１３とを備えて構成されており、各構成部はバス１２０
によってそれぞれ接続されている。
【００３２】
ＣＰＵ１０１は、所定の演算処理を実行し、この印刷装置１００の全体を制御する。Ｒ
ＯＭ１０２は、各種制御プログラムなどを格納する。ＲＯＭ１０２に格納されたデータは
、ユーザの操作によって書き換えることが可能ではあるが、電源ＯＦＦによって消去され
ないものである。ＲＡＭ１０３は、可変的なデータを書き換え自在に記録し、ＣＰＵ１０
１のワークエリアとして機能する。ＲＡＭ１０３は、電源ＯＦＦによって記録されたデー
タが消去される揮発性のメモリであってもよいし、バッテリなどによってバックアップさ
れることによる不揮発性のメモリとしてもよい。
【００３３】
ＨＤＤ１０４はＣＰＵ１０１の制御命令に従って、ＨＤ１０５に対するデータの読み取
り／書き込みの制御をおこなう。ＨＤ１０５は、各種制御プログラムや各種データを、た
とえばＣＰＵ１０１に読み取り可能に記録する。ＨＤ１０５は、ＨＤＤ１０４による情報
の書き込みを受け付けるとともに、書き込まれたデータを不揮発に記録する。スキャナ１
０６は、用紙などに印刷されている画像を光学的に読み取り、印刷装置１００の内部に画
像を取り込む。
【００３４】
Ｉ／Ｆ１０７は、通信ケーブル１０８を介してＬＡＮ（Ｌｏｃａｌ  Ａｒｅａ  Ｎｅｔ
ｗｏｒｋ）やＷＡＮ（Ｗｉｄｅ  Ａｒｅａ  Ｎｅｔｗｏｒｋ）などのネットワーク１３０
に接続され、ネットワーク１３０と印刷装置１００とのインタフェースとして機能し、印
刷装置１００に対するデータの入出力を制御する。
【００３５】
ラベルプリンタ１０９は、画像や文書などの印刷データをＣＤ／ＤＶＤディスク１１０
の表面上に印刷する。ラベルプリンタ１０９には、たとえば、レーザプリンタやインクジ
ェットプリンタを採用することができる。ＣＤ／ＤＶＤディスク１１０は、各種制御プロ
グラムや各種データを、たとえばＣＰＵ１０１に読み取り可能に記録する。ＣＤ／ＤＶＤ
ディスク１１０は、ディスクドライブ１１１による情報の書き込みを受け付けるとともに
、書き込まれたデータを不揮発に記録する着脱自在な記録媒体である。
【００３６】
ディスクドライブ１１１はＣＰＵ１０１の制御命令に従って、ＣＤ／ＤＶＤディスク１
１０に対するデータの読み取り／書き込みの制御をおこなう。操作ボタン１１２は、文字
、数字、各種指示などの入力のためのキーを備え、データの入力をおこなう。また、タッ
チパネル式の入力パッドやテンキーなどであってもよい。
【００３７】
ディスプレイ１１３は、たとえばＣＲＴ（Ｃａｔｈｏｄｅ  Ｒａｙ  Ｔｕｂｅ）、ＴＦ
Ｔ（Ｔｈｉｎ  Ｆｉｌｍ  Ｔｒａｎｓｉｓｔｏｒ）液晶ディスプレイ、有機ＥＬ（Ｅｌｅ
ｃｔｒｏｌｕｍｉｎｅｓｃｅｎｃｅ）ディスプレイ、プラズマディスプレイなどのディス
プレイ装置によって構成される。ディスプレイ１１３には、アイコン、カーソル、メニュ
ー、ウィンドウ、あるいは文字や画像などの各種情報が表示される。
【００３８】
（印刷装置１００の機能的構成）
図２は、本実施の形態における印刷装置の機能的構成の一例を示すブロック図である。
図２に示すように、本実施の形態における印刷装置１００は、印刷可能領域情報取得部２
０１と、画像取得部２０２と、算出部２０３と、印刷領域形成部２０４と、調整部２０５
と、印刷部２０６と、表示部２０７とを備えて構成されている。
【００３９】
印刷可能領域情報取得部２０１は、ＣＤ／ＤＶＤディスク１１０の表面上の印刷可能領
域に関する情報（以下、「印刷可能領域情報」という）が記録されている各種記録媒体な
どから、印刷可能領域情報を取得する。印刷可能領域情報には、印刷可能領域の形状、印
刷可能領域のサイズなどの情報が含まれる。ここで、ＣＤ／ＤＶＤディスク１１０におけ
る印刷可能領域は、ＣＤ／ＤＶＤディスク１１０と同じ中心を有する二つの同心円に挟ま
れた部分を示す。
【００４０】
印刷可能領域情報取得部２０１は、たとえばＲＡＭ１０３、ＨＤ１０５、ＣＤ／ＤＶＤ
ディスク１１０などから印刷可能領域情報を取得する。印刷可能領域情報取得部２０１は
、具体的には、ＲＯＭ１０２、ＲＡＭ１０３、あるいはＨＤ１０５に格納されたプログラ
ムをＣＰＵ１０１が実行することによってその機能を実現する。
【００４１】
なお、印刷可能領域情報の取得方法は、上記方法に限らずどのような形態であってもよ
く、たとえば有線または無線によって印刷装置１００と接続された各種装置（たとえばデ
ジタルカメラ）や各種記録媒体（たとえばメモリカード）などから通信によって印刷可能
領域情報を取得するようにしてもよい。また、たとえばネットワーク１３０に接続された
各種装置からネットワーク１３０を介した通信によって印刷可能領域情報を取得するよう
にしてもよい。また、たとえばセンサで測定する、ユーザに入力させる、印刷媒体の種類
を検知してデータベースから検索するなどによって印刷可能領域情報を取得するようにし
てもよい。
【００４２】
画像取得部２０２は、たとえば画像が記録されている各種記録媒体などから、画像を取
得する。画像取得部２０２は、たとえばＲＡＭ１０３、ＨＤ１０５、ＣＤ／ＤＶＤディス
ク１１０などから画像を取得する。画像取得部２０２は、具体的には、ＲＯＭ１０２、Ｒ
ＡＭ１０３、あるいはＨＤ１０５に格納されたプログラムをＣＰＵ１０１が実行すること
によってその機能を実現する。
【００４３】
なお、画像の取得方法は、上記方法に限らずどのような形態であってもよく、たとえば
有線または無線によって印刷装置１００と接続された各種装置（たとえばデジタルカメラ
）や各種記録媒体（たとえばメモリカード）などから通信によって画像を取得するように
しても良い。また、スキャナ１０６によって取り込まれた画像を取得するようにしても良
い。また、たとえばネットワーク１３０に接続された各種装置からネットワーク１３０を
介した通信によって画像を取得するようにしても良い。
【００４４】
算出部２０３は、調整部２０５によって調整された画像のサイズと、印刷可能領域情報
取得部２０１によって取得された印刷可能領域情報とに基づいて、ＣＤ／ＤＶＤディスク
１１０の中心から半径方向に延びる二つの直線がなすべき角度を算出する。算出部２０３
は、具体的には、ＲＯＭ１０２、ＲＡＭ１０３、あるいはＨＤ１０５に格納されたプログ
ラムをＣＰＵ１０１が実行することによってその機能を実現する。
【００４５】
印刷領域形成部２０４は、ＣＤ／ＤＶＤディスク１１０の表面上の印刷可能領域に、上
述したＣＤ／ＤＶＤディスク１１０と同じ中心を有する二つの同心円と、ＣＤ／ＤＶＤデ
ィスク１１０の中心から半径方向に延び、なおかつ算出部２０３によって算出された角度
をなす二つの直線とに囲まれた扇形の印刷領域を形成する。印刷領域形成部２０４は、具
体的には、ＲＯＭ１０２、ＲＡＭ１０３、あるいはＨＤ１０５に格納されたプログラムを
ＣＰＵ１０１が実行することによってその機能を実現する。
【００４６】
調整部２０５は、画像取得部２０２によって取得された画像を調整する。調整部２０５
は、たとえば画像取得部２０２によって取得された画像の縦横比を変化させずに、この画
像がＣＤ／ＤＶＤディスク１１０の表面上の印刷可能領域に収めることができる最大限の
大きさとなるように、画像を拡大または縮小する。調整部２０５は、具体的には、ＲＯＭ
１０２、ＲＡＭ１０３、あるいはＨＤ１０５に格納されたプログラムをＣＰＵ１０１が実
行することによってその機能を実現する。
【００４７】
印刷部２０６は、画像取得部２０２によって取得され、なおかつ調整部２０５によって
調整された画像を、印刷領域形成部２０４によって形成された印刷領域内に収まるように
印刷する。印刷部２０６は、具体的には、たとえばＲＯＭ１０２、ＲＡＭ１０３、あるい
はＨＤ１０５に格納されたプログラムをＣＰＵ１０１が実行することによって制御された
ラベルプリンタ１０９によってその機能を実現する。
【００４８】
表示部２０７は、ユーザに印刷する画像を選択させるための選択画面を表示する。また
、表示部２０７は、選択画面に表示され、ユーザによって選択された画像が印刷領域形成
部２０４によって形成された印刷領域に印刷されるときのイメージ画像を表示する。さら
に、表示部２０７は、選択画面に表示されている画像のうち、印刷できない画像のみをグ
レーアウト表示する。表示部２０７は、たとえば算出部２０３によって算出された角度が
印刷可能領域の角度より大きい画像について印刷できないと判断してこの画像をグレーア
ウト表示する。表示部２０７は、具体的には、たとえばＲＯＭ１０２、ＲＡＭ１０３、あ
るいはＨＤ１０５に格納されたプログラムをＣＰＵ１０１が実行することによって制御さ
れたディスプレイ１１３によってその機能を実現する。
【００４９】
（印刷装置１００の印刷処理手順）
図３は、本実施の形態における印刷装置による印刷処理手順の一例を示すフローチャー
トである。なお、以下の印刷処理については、便宜上ユーザの選択操作を含めて説明して
いるが、人為的操作は含まれていなくても良いことは言うまでもない。
【００５０】
まず、画像取得部２０２によって、画像が記録されている各種記録媒体などから、印刷
対象となる全ての画像を取得する（ステップＳ３０１）。なお、画像取得部２０２によっ
て取得された画像の一例については図５を用いて後述する。つぎに、印刷可能領域情報取
得部２０１によって、印刷可能領域情報が記録されている各種記録媒体などから、印刷可
能領域情報を取得する（ステップＳ３０２）。なお、印刷可能領域の一例については図４
を用いて後述する。
【００５１】
つぎに、算出部２０３によって、ステップＳ３０１で取得された全ての画像について、
画像のサイズと、ステップＳ３０２で取得された印刷可能領域情報とに基づいて、ＣＤ／
ＤＶＤディスク１１０の中心から半径方向に延びる二つの直線がなすべき角度（すなわち
、印刷領域形成部２０４によって形成される印刷領域の角度）を算出する（ステップＳ３
０３）。このとき、必要に応じて、調整部２０５によって、画像が印刷領域内に収めるこ
とができる最大限の大きさとなるように画像を拡大または縮小する。なお、算出部２０３
による算出方法の一例については図６〜図１０を用いて後述する。
【００５２】
つぎに、表示部２０７によって、ディスプレイ１１３の画面上にユーザに印刷する画像
を選択させるための選択画面を表示して（ステップＳ３０４）、ユーザによる画像の選択
を受け付ける（ステップＳ３０５）。そしてユーザによって画像が選択された後に、表示
部２０７によって、上記選択画面に表示されている画像のうち印刷できない画像のみグレ
ーアウト表示する（ステップＳ３０６）。表示部２０７は、上記選択画面に表示されてい
る画像のうち、たとえば算出部２０３によって算出された印刷領域の角度が印刷可能領域
の残りの角度（すなわち、印刷可能領域の角度から、すでに選択されている画像の印刷領
域の角度を全て引いた角度）より大きい画像について印刷できないと判断してこの画像を
グレーアウト表示する。
【００５３】
つぎに、印刷領域形成部２０４によって、ＣＤ／ＤＶＤディスク１１０の表面上に形成
された印刷可能領域に、ＣＤ／ＤＶＤディスク１１０と同じ中心を有する二つの同心円と
、ＣＤ／ＤＶＤディスク１１０の中心から半径方向に延び、なおかつステップＳ３０３で
算出された角度をなす二つの直線とに囲まれた扇形の印刷領域を形成する（ステップＳ３
０７）。
【００５４】
そして、表示部２０７によって、上記選択画面とともに、上記選択画面において選択さ
れた画像が印刷されるときのイメージ画像を表示する（ステップＳ３０８）。なお、選択
画面およびイメージ画像の一例については図１２を用いて後述する。そして、印刷部２０
６によって、上記選択画面において選択された画像を印刷するか否かを判断する（ステッ
プＳ３０９）。ここで、印刷部２０６は、画像を印刷するか否かを選択させるための画面
を上記選択画面とともにディスプレイ１１３の画面上に表示して、ユーザがこの画面に対
しておこなった選択操作に基づいて上記判断処理をおこなう。
【００５５】
ステップＳ３０９において、上記選択画面において選択された画像を印刷すると判断し
た場合（ステップＳ３０９：Ｙｅｓ）は、印刷部２０６によって、上記選択画面において
選択された画像を印刷して（ステップＳ３１０）、一連の処理を終了する。一方、ステッ
プＳ３０８において、上記選択画面において選択された画像を印刷しないと判断した場合
（ステップＳ３０９：Ｎｏ）は、ステップＳ３０５へ戻り、ユーザによる画像の選択を受
け付ける。なお、ＣＤ／ＤＶＤディスク１１０の表面上に印刷された画像の一例について
は図１１を用いて後述する。なお、図１２に示すように、たとえばＣＤ／ＤＶＤディスク
１１０の表面上の余白部分に、ユーザによって入力されたコメントなどを印刷することが
できるようにしてもよい。また、あらかじめユーザによって入力されたコメントなどを印
刷するための領域を設けておくようにしてもよい。
【００５６】
（印刷可能領域の一例）
図４は、印刷可能領域の一例を示す説明図である。図４に示すように、ＣＤ／ＤＶＤデ
ィスク１１０における印刷可能領域は、ＣＤ／ＤＶＤディスク１１０の中心４０２と同じ
中心を有する二つの同心円（半径ｒ１の円周４０１Ａを有する円、および半径ｒ２の円周
４０１Ｂを有する円）に挟まれた領域４０１である。
【００５７】
（画像取得部２０２によって取得された画像の一例）
図５は、画像取得部２０２によって取得された画像の一例を示す説明図である。図５に
おける画像５００は、辺５０２，５０３，５０４，５０５によって矩形に形成された画像
である。また、画像５００は、横方向の長さＷおよび縦方向の長さＬを有し、この画像５
００のアスペクト比は３：２である。ここで、上記Ｌ、およびＷの値は、画像取得部２０
２によって算出されているものとする。
【００５８】
（算出部２０３による算出方法の一例）
図６は、算出部２０３による算出方法の一例を示す説明図である。図６に示すように、
ＣＤ／ＤＶＤディスク１１０上の印刷可能領域である領域４０１には、画像５００を印刷
するための領域６００が形成されている。
【００５９】
この領域６００は、領域４０１を形成する円周４０１Ａおよび円周４０１Ｂと、ＣＤ／
ＤＶＤディスク１１０の中心４０２から半径方向に向かって延びる直線Ｓ２およびＳ３と
によって扇形に形成されている。また、領域６００は、中心４０２から半径方向に向かっ
てのびる直線Ｓ１を挟んで左右対称となるように形成されている。また、領域６００は、
画像５００が領域６００内に収まるように形成されている。
【００６０】
直線Ｓ２は、中心４０２から半径方向に向かって交点Ｘ１上を通過して円周４０１Ａま
で延びる直線である。また、直線Ｓ２は長さｒ１を有する。また、直線Ｓ２と直線Ｓ１と
がなす角度は角度θである。ここで、交点Ｘ１は、図６に示すように、画像５００の中心
位置が直線Ｓ１上に位置し、なおかつ画像５００を形成する辺５０４が円周４０１Ｂと接
するように画像５００を配置した状態における、辺５０４の一端と円周４０１Ａとの交点
である。
【００６１】
また、直線Ｓ３は、この直線Ｓ３によって形成される領域６００が直線Ｓ１を挟んで左
右対称となるように中心４０２から半径方向に向かって円周４０１Ａまで延びる直線であ
り、直線Ｓ２と同様に長さｒ１を有する。また、直線Ｓ３と直線Ｓ１とがなす角度は角度
θである。これにより、直線Ｓ１と直線Ｓ３とがなす角度（すなわち、領域６００を形成
する扇形の角度）は角度２θとなる。
【００６２】
この角度θは、たとえばＷ（画像５００の横方向の長さ）と、ｒ２（円周４０１Ｂを有
する円の半径）とを用いた数式（１）によって算出することができる。
ｔａｎθ＝（Ｗ／２）／ｒ２・・・（１）
【００６３】
このように算出された角度θを用いて形成された扇形の領域６００に対して図６に示す
ように配置された画像５００は、辺５０５の両端と円周４０１Ａとが接している状態であ
る。これにより、たとえば調整部２０５は、領域６００内に収めることができる最大限の
サイズを画像５００が有していると判断することができる。このため、たとえば印刷装置
１００は、調整部２０５による画像５００の調整（たとえば、拡大や縮小）をおこなうこ
となく、画像５００を領域６００に収まるように印刷することができる。
【００６４】
図７および図８は、算出部２０３による算出方法の別の一例を示す説明図である。図７
に示す画像５００は、図６に示した画像５００と同様に、画像５００の中心位置が直線Ｓ
１上に位置し、なおかつ画像５００を形成する辺５０４が円周４０１Ｂと接するように配
置された状態である。しかしながら、図７に示す画像５００は、辺５０５の両端と円周４
０１Ａとが接してなく、なおかつ辺５０５の両端が円周４０１Ａの内側に位置する状態で
ある。これにより、たとえば調整部２０５は、領域６００内に収めることができる最大限
のサイズより小さいサイズを画像５００が有していると判断することができる。
【００６５】
そこで、このような場合は、図８に示すように、画像５００の中心位置が直線Ｓ１上に
位置し、なおかつ画像５００を形成する辺５０４が円周４０１Ｂと接するように画像５０
０を配置させ、さらには画像５００のアスペクト比を固定させた状態のまま、調整部２０
５によって、画像５００を形成する辺５０５の両端が円周４０１Ａに接するまで画像５０
０を拡大する。そして、図６を用いて説明した手順により直線Ｓ３と直線Ｓ１とがなす角
度θを算出することによって、拡大された画像５００のサイズに対応する領域６００を形
成することができる。これにより、画像５００を途切れさせることなく領域６００内に収
まるように印刷することができる。
【００６６】
図９および図１０は、算出部２０３による算出方法の別の一例を示す説明図である。図
９に示す画像５００は、図６に示す画像５００と同様に、画像５００の中心位置が直線Ｓ
１上に位置し、なおかつ画像５００を形成する辺５０４が円周４０１Ｂと接するように配
置された状態である。しかしながら、図９に示す画像５００は、辺５０５の両端と円周４
０１Ａとが接してなく、なおかつ辺５０５の両端が円周４０１Ａの外側に位置する状態で
ある。これにより、たとえば調整部２０５は、領域６００内に収めることができる最大限
のサイズより大きいサイズを画像５００が有していると判断することができる。
【００６７】
そこで、このような場合は、図１０に示すように、画像５００の中心位置が直線Ｓ１上
に位置し、なおかつ画像５００を形成する辺５０４が円周４０１Ｂと接するように画像５
００を配置させ、さらには画像５００のアスペクト比を固定させた状態のまま、調整部２
０５によって、画像５００を形成する辺５０５の両端が円周４０１Ａに接するまで画像５
００を縮小する。そして、図６を用いて説明した手順により直線Ｓ３と直線Ｓ１とがなす
角度θを算出することによって、縮小された画像５００のサイズに対応する領域６００を
形成することができる。これにより、画像５００を途切れさせることなく領域６００内に
収まるように印刷することができる。
【００６８】
（算出部２０３による算出方法の別の一例）
つぎに、算出部２０３による算出方法の別の一例について説明する。画像の横の長さを
Ｗ、画像の縦の長さをＬ、扇の角度を２θ、二つの同心円のうち内側の円の半径をｒ２、
二つの同心円のうち外側の円の半径をｒ１とし、二つの同心円の中心を画像の下側とする
。
【００６９】
（画像の４辺が扇に接するとき）
以下に示す数式（２）および数式（３）によって角度θを算出することができる。
Ｗ＝２ｒ１ｓｉｎθ・・・（２）
Ｌ＝ｒ１−ｒ２ｃｏｓθ・・・（３）
【００７０】
（画像の中心を扇の幅の中央に印刷するとき）
以下に示す数式（４）および数式（５）が満たされる場合、扇の下端が画像に接する。
Ｌ／２＝ｒ１−（（ｒ１−ｒ２）／２）−ｒ２ｃｏｓθ＝（ｒ１＋ｒ２）／２−ｒ２ｃ
ｏｓθ・・・（４）
Ｗ／２＝ｒ１ｓｉｎθ・・・（５）
また、以下に示す数式（６）および数式（７）が満たされる場合、扇の上端が画像に接
する。
Ｌ／２＝（ｒ１−ｒ２）／２・・・（６）
Ｗ／２＝ｒ１ｓｉｎθ・・・（７）
【００７１】
（画像の中心を扇の重心に印刷するとき）
扇の重心が、円の中心からＷの距離にあるとすると以下数式（８）となる。
Ｗ＝（２ｓｉｎθ）／３θ（（ｒ１3−ｒ２3）／（ｒ１2−ｒ２2））・・・（８）
以下に示す数式（９）および数式（１０）が満たされる場合、扇の下端が画像に接する
。
Ｗ／２＝ｒ１ｓｉｎθ・・・（９）
Ｌ／２＝Ｗ−ｒ２ｃｏｓθ・・・（１０）
また、以下に示す数式（１１）および数式（１２）が満たされる場合、扇の上端が画像
に接する。
Ｗ／２＝ｒ１ｓｉｎθ・・・（１１）
λ＝ｒ１−Ｗ・・・（１２）
【００７２】
なお、実際の計算では、上記式をそのまま使用してＷ／２：Ｌ／２の比率から方程式を
解いて角度θを計算するほか、１°ごとにｓｉｎθとｃｏｓθの値を表で用意しておき、
式を満たす角度を表から順に適用して検索するようにしてもよい。また、上記式は、角度
θを算出するだけでなく、画像のサイズを算出する式としても利用することができる。
【００７３】
（ＣＤ／ＤＶＤディスク１１０の表面上に印刷された画像の一例）
図１１は、ＣＤ／ＤＶＤディスク１１０の表面上に印刷された画像の一例を示す説明図
である。図１１において、ＣＤ／ＤＶＤディスク１１０の表面上には、図９に示した画像
５００が、図１０に示すようなＣＤ／ＤＶＤディスク１１０の表面上に形成された印刷可
能領に収めることができる最大限の大きさとなるまで縮小されたうえで印刷されている。
【００７４】
このように、本実施の形態における印刷装置１００によれば、画像ごとに図３を用いて
説明したような印刷処理をおこなうことにより、画像を印刷可能領域内に収まるように調
整し、調整された画像のサイズに応じた扇形の印刷領域を印刷可能領域上に形成したうえ
で、この印刷領域内に画像が収まる適切な印刷レイアウトによる画像の印刷処理をおこな
うことができる。これにより、ラベル印刷時における作業効率およびラベルの視認性の向
上を図ることができる。
【００７５】
（画像が印刷されるときのイメージ画像の一例）
図１２は、画像が印刷されるときのイメージ画像の一例を示す説明図である。図１２に
示すように、画面１２００に形成された選択画面１２０１においては、たとえばＲＡＭ１
０３、ＨＤ１０５、ＣＤ／ＤＶＤディスク１１０などに記録されている画像の縮小版が複
数表示されている。このように、本実施の形態における印刷装置１００によれば、複数の
画像の中からＣＤ／ＤＶＤディスク１１０の表面上に印刷する画像を選択するための選択
画面１２０１を表示することにより、たとえばユーザに対して、ＣＤ／ＤＶＤディスク１
１０の表面上に印刷する画像を容易に複数選択させることができる。
【００７６】
また、選択画面１２０１に表示された画像のうち、ＣＤ／ＤＶＤディスク１１０の表面
上に印刷することができない画像（すなわち、画像を印刷するための印刷領域を確保する
ことができない画像）においては、画像がグレーアウトされているうえ、画像上にこの画
像を印刷することができない旨を示す「印刷不可」が警告メッセージとして示されている
。このように、本実施の形態における印刷装置１００によれば、印刷することができない
画像に対する警告メッセージを表示することによって、たとえばユーザに対して、複数の
画像のそれぞれの画像について印刷することができるか否かを容易に把握させることがで
きる。
【００７７】
また、画面１２００に形成されたイメージ画像表示画面１２０２においては、選択画面
１２０１において選択された複数の画像がＣＤ／ＤＶＤディスク１１０の表面上に印刷さ
れるときのイメージ画像が表示されている。このように、本実施の形態における印刷装置
１００によれば、選択画面１２０１において選択された画像が印刷されるときのイメージ
画像を表示することにより、たとえばユーザに対して、画像が印刷されるときのイメージ
画像を容易に確認させることができる。これにより、たとえばユーザは、印刷する画像を
間違えたりすることなく効率的かつ確実に所望する画像をＣＤ／ＤＶＤディスク１１０の
表面上に印刷することができる。
【００７８】
以上説明したように、本実施の形態における印刷装置１００によれば、画像を印刷可能
領域内に収まるように調整し、調整された画像のサイズに応じた扇形の印刷領域をＣＤ／
ＤＶＤディスク１１０の表面上に形成することによって、画像が途切れることなく、印刷
領域内に画像が収まる適切な印刷レイアウトによる画像の印刷処理をおこなう構成とした
。
【００７９】
このため、たとえばユーザは、簡単に画像に応じた印刷をおこなうことができる。これ
により、ラベル印刷時における作業効率およびラベルの視認性の向上を図ることができる
だけでなく、たとえばＣＤ／ＤＶＤディスク１１０の表面上に印刷された画像により、ユ
ーザに対し、どの記録媒体にどのような映像が記録されているかを容易に把握させること
が可能となる。
【００８０】
また、画像が複数の場合であっても、画像ごとに、画像を印刷可能領域内に収まるよう
に調整し、調整された画像のサイズに応じた扇形の印刷領域をＣＤ／ＤＶＤディスク１１
０の表面上に形成することによって、画像が途切れることなく、印刷領域内に画像が収ま
る適切な印刷レイアウトによる複数の画像の印刷処理をおこなう構成とした。
【００８１】
このため、印刷する画像が複数の場合であっても、たとえばユーザは、簡単に画像に応
じた印刷をおこなうことができる。これにより、ラベル印刷時における作業効率およびラ
ベルの視認性の向上を図ることができるだけでなく、たとえばＣＤ／ＤＶＤディスク１１
０の表面上に印刷された複数の画像により、ユーザに対し、どの記録媒体にどのような映
像が記録されているかを容易に把握させることが可能となる。
【００８２】
さらには、ＣＤ／ＤＶＤディスク１１０の表面上に印刷することができない旨を示す警
告メッセージを表示し、この警告メッセージをユーザに確認させたうえで、印刷する画像
をユーザに対して選択させる構成とした。また、画像が印刷されるときのイメージ画像を
表示し、このイメージ画像をユーザに対して確認させたうえで、画像の印刷処理をおこな
う構成とした。
【００８３】
このため、たとえばユーザは、簡単に画像に応じた印刷をおこなうことができる。これ
により、ラベル印刷時における確実性、作業効率およびラベルの視認性の向上を図ること
ができるだけでなく、たとえば記録媒体の表面上に印刷された複数の画像により、ユーザ
に対し、どの記録媒体にどのような映像が記録されているかを容易に把握させることが可
能となる。
【００８４】
なお、上述した印刷制御方法は、ＣＤ／ＤＶＤディスク１１０への印刷に限らず、たと
えばラベルプリンタ１０９によって印刷可能であり、なおかつ二つの同心円に挟まれた形
状の印刷可能領域を有する記録媒体に対する別の記録媒体への印刷に用いても良い。また
、たとえば円盤状の以外の形状の記録媒体への印刷に利用しても良い。また、ＣＤ／ＤＶ
Ｄディスク１１０の表面上に直接印刷しなくても、印刷後にＣＤ／ＤＶＤディスク１１０
の表面上に貼り付けるためのシールへの印刷に利用してもよい。
【００８５】
なお、本実施の形態で説明した印刷制御方法は、あらかじめ用意されたプログラムをパ
ーソナル・コンピュータやワークステーションなどのコンピュータで実行することにより
実現することができる。このプログラムは、ハードディスク、フレキシブルディスク、Ｃ
Ｄ−ＲＯＭ、ＭＯ、ＤＶＤなどのコンピュータで読み取り可能な記録媒体に記録され、コ
ンピュータによって記録媒体から読み出されることによって実行される。またこのプログ
ラムは、インターネットなどのネットワークを介して配布することが可能な伝送媒体であ
ってもよい。
【図面の簡単な説明】
【００８６】
【図１】印刷装置のハードウェア構成の一例を示すブロック図。
【図２】印刷装置の機能的構成の一例を示すブロック図。
【図３】印刷処理手順の一例を示すフローチャート。
【図４】印刷可能領域の一例を示す説明図。
【図５】画像取得部によって取得された画像の一例を示す説明図。
【図６】算出部による算出方法の一例を示す説明図。
【図７】算出部による算出方法の別の一例を示す説明図。
【図８】算出部による算出方法の別の一例を示す説明図。
【図９】算出部による算出方法の別の一例を示す説明図。
【図１０】算出部による算出方法の別の一例を示す説明図。
【図１１】ディスクの表面上に印刷された画像の一例を示す説明図。
【図１２】画像が印刷されるときのイメージ画像の一例を示す説明図。
【符号の説明】
【００８７】
１００  印刷装置、１０９  ラベルプリンタ、１１０  ＣＤ／ＤＶＤディスク、１１２
操作ボタン、１１３  ディスプレイ、２０１  印刷可能領域情報取得部、２０２  画像
取得部、２０３  算出部、２０４  印刷領域形成部、２０５  調整部、２０６  印刷部、
２０７  表示部
【図１】
2007276201.tif 000003
【図２】
2007276201.tif 000004
【図３】
2007276201.tif 000005
【図４】
2007276201.tif 000006
【図５】
2007276201.tif 000007
【図６】
2007276201.tif 000008
【図７】
2007276201.tif 000009
【図８】
2007276201.tif 000010
【図９】
2007276201.tif 000011
【図１０】
2007276201.tif 000012
【図１１】
2007276201.tif 000013
【図１２】
2007276201.tif 000014